(57)【要約】【課題】皮膚に貼り付けられた部分からも美容効果を得ることができるマイクロニードルパッチと、そのようなマイクロニードルパッチの梱包体を提供する。【解決手段】マイクロニードルパッチは、オイルゲルシートと、オイルゲルシートの周辺部を除いた領域に形成された複数の微小針とを備えるように構成した。梱包体は、上記のマイクロニードルパッチと、オイルゲルシートの周辺部を覆い、複数の微小凹部が形成され複数の微小針が収納された収納部を有する収納シートとを備えるように構成した。また、梱包体は、オイルゲルシートと、オイルゲルシートの周辺部を除いた領域に形成された粘着層と、その上に同形状で形成されたシート状基体と、その上に形成された複数の微小針とを備えたマイクロニードルパッチと、オイルゲルシートの周辺部を覆い、複数の微小凹部が形成され複数の微小針が収納された収納部を有する収納シートとを備えるように構成した。【選択図】図１
2018220926.tif 000002
【特許請求の範囲】
【請求項１】
オイルゲルシートと、前記オイルゲルシートの周辺部を除いた領域に形成された複数の微小針とを備えた、マイクロニードルパッチ。
【請求項２】
前記オイルゲルシートと複数の前記微小針との間であって複数の前記微小針が形成された領域にシート状基体をさらに備えた、請求項１に記載のマイクロニードルパッチ。
【請求項３】
複数の前記微小針の前記オイルゲルシートに対向する面に粘着層をさらに備えた、請求項１に記載のマイクロニードルパッチ。
【請求項４】
前記シート状基体の前記オイルゲルシートに対向する面に粘着層をさらに備えた、請求項２に記載のマイクロニードルパッチ。
【請求項５】
オイルゲルシートと、前記オイルゲルシートの周辺部を除いた領域に形成され前記オイルゲルシートに対向する面に粘着層が形成された複数の微小針とを備えたマイクロニードルパッチと、
前記オイルゲルシートの前記周辺部を覆い、複数の微小凹部が形成され複数の前記微小針が収納された収納部を有する収納シートとを備えた、マイクロニードルパッチの梱包体。
【請求項６】
オイルゲルシートと、前記オイルゲルシートの周辺部を除いた領域に形成された粘着層と、前記粘着層の上に前記粘着層と同形状で形成されたシート状基体と、前記シート状基体の上に形成された複数の微小針とを備えたマイクロニードルパッチと、
前記オイルゲルシートの前記周辺部を覆い、複数の微小凹部が形成され複数の前記微小針が収納された収納部を有する収納シートとを備えた、マイクロニードルパッチの梱包体。
【発明の詳細な説明】
【技術分野】
【０００１】
本発明は、マイクロニードルパッチとその梱包体に関する。
【背景技術】
【０００２】
マイクロニードルシートは、シート状基体の上に複数の微小針が形成されたものである。微小針を皮膚に刺すことにより、微小針に含まれた目的物質などの投与が可能となる。たとえば、特許文献１には、マイクロニードルシート２３を皮膚に固定するために、マイクロニードルシート２３の背面に粘着シート２６を設けたマイクロニードルパッチ２０が開示されている（図１２参照）。粘着シート２６の周辺部にはマイクロニードルシート２３が形成されていないため、粘着シート２６の周辺部の粘着層２４によって、マイクロニードルシート２３を皮膚に固定することができる。
【先行技術文献】
【特許文献】
【０００３】
【特許文献１】特開２０１６−１８９８４４号公報
【発明の概要】
【発明が解決しようとする課題】
【０００４】
しかし、特許文献１に開示されている従来のマイクロニードルパッチでは、皮膚に貼り付けられる粘着層の部分からは美容効果を得ることができないという問題があった。また、従来のマイクロニードルパッチは、乳液やクリームなど（以下、乳液等という）を塗布した皮膚に貼ると、乳液等に含まれる油脂によって粘着層２４の粘着力が弱まるため、簡単に剥がれてしまうという問題があった。
本発明は、この課題を解決するためになされたものであり、皮膚に貼り付けられた部分からも美容効果を得ることができ、乳液等を塗布した皮膚に貼っても剥がれにくいマイクロニードルパッチと、そのようなマイクロニードルパッチの梱包体を提供することを目的とする。
【課題を解決するための手段】
【０００５】
以下に、課題を解決するための手段として複数の態様を説明する。これら態様は必要に応じて任意に組み合わせることができる。【０００６】
本発明のマイクロニードルパッチは、オイルゲルシートと、オイルゲルシートの周辺部を除いた領域に形成された複数の微小針とを備えたものである。【０００７】
また、オイルゲルシートと複数の微小針との間であって複数の微小針が形成された領域にシート状基体をさらに備えたものであってもよい。【０００８】
また、複数の微小針のオイルゲルシートに対向する面に粘着層をさらに備えたものであってもよい。【０００９】
また、シート状基体のオイルゲルシートに対向する面に粘着層をさらに備えたものであってもよい。【００１０】
本発明のマイクロニードルパッチの梱包体は、オイルゲルシートと、オイルゲルシートの周辺部を除いた領域に形成されオイルゲルシートに対向する面に粘着層が形成された複数の微小針とを備えたマイクロニードルパッチと、オイルゲルシートの周辺部を覆い、複数の微小凹部が形成され複数の微小針が収納された収納部を有する収納シートとを備えたものである。【００１１】
また、本発明のマイクロニードルパッチの梱包体は、オイルゲルシートと、オイルゲルシートの周辺部を除いた領域に形成された粘着層と、粘着層の上に粘着層と同形状で形成されたシート状基体と、シート状基体の上に形成された複数の微小針とを備えたマイクロニードルパッチと、オイルゲルシートの周辺部を覆い、複数の微小凹部が形成され複数の微小針が収納された収納部を有する収納シートとを備えたものである。
【発明の効果】
【００１２】
本発明のマイクロニードルパッチは、オイルゲルシートと、オイルゲルシートの周辺部を除いた領域に形成された複数の微小針とを備えるように構成した。したがって、本発明によれば、皮膚に貼り付けられた部分からも美容効果を得ることができ、乳液等を塗布した皮膚に貼っても剥がれにくいマイクロニードルパッチを提供することができる。【００１３】
本発明のマイクロニードルパッチの梱包体は、オイルゲルシートと、オイルゲルシートの周辺部を除いた領域に形成されオイルゲルシートに対向する面に粘着層が形成された複数の微小針とを備えたマイクロニードルパッチと、オイルゲルシートの周辺部を覆い、複数の微小凹部が形成され複数の微小針が収納された収納部を有する収納シートとを備えるように構成した。したがって、本発明によれば、皮膚に貼り付けられた部分からも美容効果を得ることができ、乳液等を塗布した皮膚に貼っても剥がれにくいマイクロニードルパッチの梱包体を提供することができる。【００１４】
また、本発明のマイクロニードルパッチの梱包体は、オイルゲルシートと、オイルゲルシートの周辺部を除いた領域に形成された粘着層と、粘着層の上に粘着層と同形状で形成されたシート状基体と、シート状基体の上に形成された複数の微小針とを備えたマイクロニードルパッチと、オイルゲルシートの周辺部を覆い、複数の微小凹部が形成され複数の微小針が収納された収納部を有する収納シートとを備えるように構成した。したがって、本発明によれば、皮膚に貼り付けられた部分からも美容効果を得ることができ、乳液等を塗布した皮膚に貼っても剥がれにくいマイクロニードルパッチの梱包体を提供することができる。
【図面の簡単な説明】
【００１５】
【図１】（ａ）本発明のマイクロニードルパッチの一実施形態を示す模式的な斜視図である。（ｂ）（ａ）のＡ−Ａ断面図である。
【図２】本発明のマイクロニードルパッチの製造方法の一例を示す模式的な断面図である。
【図３】本発明のマイクロニードルパッチの製造方法の一例を示す模式的な断面図である。
【図４】本発明のマイクロニードルパッチの変形例を示す模式的な断面図である。
【図５】本発明のマイクロニードルパッチの変形例に係る製造方法の一例を示す模式的な断面図である。
【図６】本発明のマイクロニードルパッチの梱包体の一実施形態を示す模式的な断面図である。
【図７】本発明のマイクロニードルパッチの梱包体の製造方法の一例を示す模式的な断面図である。
【図８】本発明のマイクロニードルパッチの梱包体の製造方法の一例を示す模式的な断面図である。
【図９】本発明のマイクロニードルパッチの梱包体の変形例を示す模式的な断面図である。
【図１０】本発明のマイクロニードルパッチの梱包体の変形例に係る製造方法の一例を示す模式的な断面図である。
【図１１】本発明のマイクロニードルパッチの梱包体の変形例に係る製造方法の一例を示す模式的な断面図である。
【図１２】従来のマイクロニードルパッチを示す模式的な断面図である。
【発明を実施するための形態】
【００１６】
本発明のマイクロニードルパッチについて実施形態の一例を説明する。本発明のマイクロニードルパッチ１は、オイルゲルシート３と、オイルゲルシート３の周辺部３ａを除いた領域に形成された複数の微小針２とを備えたものである（図１（ａ）、（ｂ）参照）。
【００１７】
オイルゲルシート３は、支持体の上にオイルゲルが形成されたシートである。支持体としては不織布、織布などの材料を用いることができる。オイルゲルは、油溶性成分を含むゲルであり、皮膚に対する粘着性がよい。油溶性成分は、皮膚に貼り付けた後に皮膚内に浸透し、美容効果を与えることができるものであれば、特に限定されない。そのような成分としては、たとえば、油溶性ビタミンＣ誘導体、レチノール誘導体、アスタキサンチン、スクワラン、植物由来オイル、セラミド（スフィンゴ脂質）、トコフェロール（ビタミンＥ）などを挙げることができる。
【００１８】
微小針２は、オイルゲルシート３の周辺部３ａを除いた領域に形成されている。そのため、微小針２を皮膚に刺した後はオイルゲルシート３の周辺部３ａによってマイクロニードルパッチ１を皮膚に密着させることができる。微小針２は、たとえば、円錐形、角錐形、円錐台形、コニーデ形などとすることができる。コニーデ形とは、円錐形または円錐台形の側面が内向きに湾曲した形状を表す。オイルゲルシート３からの微小針２の突出高さは、たとえば、１０μｍ以上５００μｍ以下とすることができる。微小針２の密度は、たとえば、１００本／ｃｍ２以上５００本／ｃｍ２以下とすることができる。
【００１９】
微小針２は、皮膚に刺した後に微小針そのものが皮膚内で溶解する材料で形成してもよいし、溶解しない材料で形成してもよい。皮膚内で溶解する材料としては、たとえば、ヒアルロン酸、コンドロイチン硫酸、コラーゲン、ゼラチン、グリコーゲン、デキストラン、デキストリン、キトサン、プロテオグリカン、プルラン、カルボキシメチルセルロース、ポリビニルアルコール、カルボキシビニルポリマーなどの水溶性高分子を用いることができる。これらの水溶性高分子は、１つだけを用いてもよいし、２つ以上を組み合わせて用いてもよい。また、これらの水溶性高分子には、水溶性の美容成分を添加してもよい。微小針を皮膚に刺すと、水溶性高分子が皮膚の水分によって溶解する。水溶性高分子そのものの性質、または添加した美容成分により、たとえば、皮膚を保湿することができる。皮膚内で溶解しない材料としては、たとえば、樹脂、金属を用いることができる。このような材料を用いた場合は、微小針の表面に、たとえば保湿効果を持つ水溶性の美容成分をコーティングするとよい。微小針を皮膚に刺すと、美容成分が皮膚内で溶解し、皮膚を保湿することができる。
【００２０】
本発明のマイクロニードルパッチ１は、美容成分を含むオイルゲルシート３により皮膚に密着させる。そのため、微小針２に加え、皮膚に貼り付けられたオイルゲルシート３の周辺部３ａからも美容効果を得ることができる。また、オイルゲルシート３は粘着性が高く密着して貼り付けることができるが、マイクロニードルパッチ１を剥がす際には角質が剥がれにくく、安全性が高い。また、本発明のマイクロニードルパッチはオイルゲルシートを使用しているため、微小針を水溶性高分子で形成した場合であっても、マイクロニードルパッチを皮膚に貼り付ける直前まで微小針の形状を保持することができる。したがって、使用者が使用直前に微小針とオイルゲルシートとを組み合わせる必要がない。
【００２１】
また、本発明のマイクロニードルパッチ１は、オイルゲルシート３を用いているため、乳液等を塗布した皮膚に貼ることができ、貼った後でも剥がれにくい。これは、オイルゲルシート３が含んでいる油分と乳液等に含まれる油脂とがなじみやすいためである。また、上記と同様の理由により、皮脂の分泌量が多い皮膚であっても貼ることができ、貼った後でも剥がれにくいマイクロニードルパッチとすることができる。
【００２２】
本発明のマイクロニードルパッチは、従来用いられている公知の方法によって製造することができる。
【００２３】
たとえば、複数の凹部１０ａが形成された型１０を用意する（図２（ａ）参照）。型の材料は、樹脂シートや金属などを用いることができる。凹部の形成方法としては、樹脂シートの場合、微小針と同形状を有するスタンパを樹脂シートに押し付ける方法を用いるとよい。金属の場合は、切削加工や放電加工などの方法を用いるとよい。次に、凹部に原料液２ａを充填する（図２（ｂ）参照）。充填方法は、インクジェット、ディスペンサ、分注器、スキージなど公知の機器を使用した方法を用いることができる。充填後は乾燥させ、オイルゲルシート３を微小針２の底面と貼り合わせる（図２（ｃ）参照）。最後に、型からマイクロニードルパッチ１を剥離する（図２（ｄ）参照）。
【００２４】
あるいは、次のような製造方法も用いることができる。まず、オイルゲルシート３の上に原料液２ａを滴下して付着させ（図３（ａ）参照）、原料液２ａが付着した面に向かい合う方向からプレート１１を近づけて、プレート１１に原料液１０ａを接触させる（図３（ｂ）参照）。その後プレート１１を、オイルゲルシート３に平行な状態でオイルゲルシート３から徐々に離していくことで複数の微小針２を形成する（図３（ｃ）参照）。したがって原料液２ａは、プレート１１の引き離しによって糸を引く程度の粘度を有することが好ましい。なお溶媒としては、水の他、水溶性高分子が可溶する媒体を選択することができる。
【００２５】
微小針を、たとえば樹脂または金属といった皮膚内で溶解しない材料で形成する場合は、樹脂または金属を微小針の形に削り出して形成することができる。金属で形成する場合は、皮膚に刺さらない円錐台形にするとよい。このようにすると、金属製の微小針が皮膚内に残留するのを防止することができ、マイクロニードルパッチの安全性を高めることができる。
【００２６】
本発明のマイクロニードルパッチはオイルゲルシートを使用しているため、微小針を水溶性高分子で形成した場合であっても、マイクロニードルパッチの製造時に微小針の形状を保持しておくことができる。
【００２７】
（変形例）
上記実施形態の変形例に係るマイクロニードルパッチ１を説明する。変形例に係るマイクロニードルパッチ１は、オイルゲルシート３と複数の微小針２との間であって複数の微小針２が形成された領域にシート状基体４をさらに備えたものである（図４参照）。
【００２８】
シート状基体４は、複数の微小針２が形成された領域に形成する。複数の微小針２は、オイルゲルシート３の周辺部３ａを除いた領域に形成されているため（図１（ｂ）参照）、その領域にシート状基体４が形成されたマイクロニードルパッチ１は周辺部３ａを有する。
【００２９】
シート状基体４は、複数の微小針２を支持するためのものであり、その材料は微小針２に用いられる材料と同じであってもよいし、異なっていてもよい。シート状基体４の材料が、たとえば、微小針と同じ水溶性高分子の場合は、皮膚から蒸散される水分によってシート状基体４が溶解し、美容成分が皮膚内に浸透することができる。また、微小針２、シート状基体４、オイルゲルシート３のすべてが美容成分を含んだマイクロニードルパッチ１とすることができる。
【００３０】
シート状基体４の厚みは、シート全体の機械的強度が確保可能であり、かつ、皮膚の形状に応じて柔軟に変形可能なように、たとえば１０μｍ以上５００μｍ以下、好ましくは２０μｍ以上８０μｍ以下に構成するとよい。
【００３１】
変形例に係るマイクロニードルパッチ１の製造方法の一例を説明する（図５参照）。まず、複数の凹部１０ａが形成された型１０を用意する（図５（ａ）参照）。型の材料は、樹脂シートや金属などを用いることができる。凹部の形成方法としては、樹脂シートの場合、微小針と同形状を有するスタンパを樹脂シートに押し付ける方法を用いるとよい。金属の場合は、切削加工や放電加工などの方法を用いるとよい。次に、凹部に原料液２ａを充填する。図５（ｂ）のように、型の平坦面からシート状基体の厚みに相当する高さまで原料液を供給する。充填方法は、インクジェット、ディスペンサ、分注器、スキージなど公知の機器を使用した方法を用いることができる。充填後は乾燥させ、オイルゲルシート３をシート状基体４と貼り合わせる（図５（ｃ）参照）。最後に、型からマイクロニードルパッチ１を剥離する（図５（ｄ）参照）。この製造方法では、微小針２とシート状基体４とを一体形成できる。
【００３２】
（マイクロニードルパッチの梱包体）
次に、本発明のマイクロニードルパッチの梱包体について実施形態の一例を説明する。マイクロニードルパッチの梱包体６は、オイルゲルシート３と、オイルゲルシートの周辺部３ａを除いた領域に形成されオイルゲルシートに対向する面に粘着層５が形成された複数の微小針２とを備えたマイクロニードルパッチ１と、オイルゲルシートの周辺部３ａを覆い、複数の微小凹部８が形成され複数の微小針が収納された収納部９を有する収納シート７とを備えたものである（図６（ａ）、（ｂ）参照）。
【００３３】
マイクロニードルパッチ１は、オイルゲルシート３と、オイルゲルシートの周辺部３ａを除いた領域に形成されオイルゲルシートに対向する面に粘着層５が形成された複数の微小針２とを備えている（図６（ｂ）参照）。微小針２は、オイルゲルシート３の周辺部３ａを除いた領域に形成されているため、微小針２を皮膚に刺した後はオイルゲルシート３の周辺部３ａによってマイクロニードルパッチ１を皮膚に密着させることができる。微小針２のオイルゲルシート３に対向する面、言い換えると微小針２の底面には粘着層５を形成する。粘着層５は、透湿性を有する材料で形成するのが好ましい。このようにすると、微小針２が吸収した皮膚の水分が粘着層５を介して適度に放散され、皮膚が蒸れるのを防止することができる。粘着層５は両面が粘着面である。
【００３４】
収納シート７は、オイルゲルシートの周辺部３ａを覆い、複数の微小凹部８が形成され複数の微小針が収納された収納部９を有するものである。収納シート７は、たとえば、ポリプロピレン、ポリエチレンなどの熱可塑性樹脂をシート状に形成したものを用いることができる。微小凹部８は微小針２と同形状を有する。梱包体の状態では、微小凹部８は微小針２を収納する収納部９であり、微小針２を保護する機能を持つ。また、収納シート７は、オイルゲルシート３の周辺部３ａを覆う。オイルゲルシート３の粘着力により、周辺部３ａとそれに対向する収納シート７の面とを密着することができる。
【００３５】
オイルゲルシート３と微小針２との剥離強度は、微小針２と収納シート７との剥離強度より高いことが好ましい。このようにすると、マイクロニードルパッチ１を収納シート７から剥離する際に、微小針２を収納シート７から確実に剥離することができる。
【００３６】
本発明のマイクロニードルパッチの梱包体は、オイルゲルシートを用いているため、微小針を水溶性高分子で形成し、粘着層を透湿性を有する材料で形成した場合であっても、マイクロニードルパッチを皮膚に貼り付ける直前まで微小針の形状を保持することができる。
【００３７】
本発明のマイクロニードルパッチの梱包体の製造方法の一例を説明する（図７参照）。まず、熱可塑性樹脂シートに微小凹部８を形成し、収納シート７を形成する（図７（ａ）参照）。微小凹部８は、微小針と同形状を有するスタンパを熱可塑性樹脂シートに押し付けることで形成することができる。次に、微小凹部８に原料液２ａを充填する（図７（ｂ）参照）。充填方法は、インクジェット、ディスペンサ、分注器、スキージなど公知の機器を使用した方法を用いることができる。充填後は乾燥させ、収納シート７に両面テープを貼り合わせる。両面テープは粘着層５の両面にセパレータフィルム５ｂを備えたものであり、一方のセパレータフィルム５ｂを剥離し微小針２を覆うようにして収納シート７の表面に貼り合わせる（図７（ｃ）参照）。次に、セパレータフィルム５ｂと粘着層５とを微小針２の底面の外形に打ち抜き、切れ目５ａを形成する（図７（ｄ）参照）。次に、セパレータフィルム５ｂと、不要部分の粘着層５とを剥離する（図８（ｅ）参照）。次に、オイルゲルシート３を収納シート７の表面に貼り合わせる（図８（ｆ）参照）。粘着層５は小さい厚みで形成するため、粘着層と収納シート７との段差は弾性のあるオイルゲルに吸収される。最後に、オイルゲルシート３と収納シート７とをマイクロニードルパッチ１の外形に打ち抜き、マイクロニードルパッチの梱包体６を得る（図８（ｇ）参照）。
【００３８】
本発明のマイクロニードルパッチの梱包体はオイルゲルシートを使用しているため、微小針を水溶性高分子で形成し、粘着層を透湿性を有する材料で形成した場合であっても、マイクロニードルパッチの梱包体の製造時に微小針の形状を保持しておくことができる。
【００３９】
（変形例）
上記実施形態の変形例に係るマイクロニードルパッチの梱包体６を説明する。変形例に係るマイクロニードルパッチの梱包体６は、オイルゲルシート３と、オイルゲルシートの周辺部３ａを除いた領域に形成された粘着層５と、粘着層の上に粘着層と同形状で形成されたシート状基体４と、シート状基体の上に形成された複数の微小針２とを備えたマイクロニードルパッチ１と、オイルゲルシートの周辺部３ａを覆い、複数の微小凹部８が形成され複数の微小針２が収納された収納部９を有する収納シート７とを備えている（図９（ａ）、（ｂ）参照）。
【００４０】
マイクロニードルパッチ１は、オイルゲルシート３と、オイルゲルシートの周辺部３ａを除いた領域に形成された粘着層５と、粘着層５の上に粘着層５と同形状で形成されたシート状基体４と、シート状基体４の上に形成された複数の微小針２とを備えている（図９（ｂ）参照）。なお、以下では、シート状基体４の上に複数の微小針２が形成されたものを、マイクロニードルシートと呼ぶ。粘着層５は、オイルゲルシート３の周辺部３ａを除いた領域に形成するため、周辺部３ａによってマイクロニードルパッチ１を皮膚に密着させることができる。粘着層５は、透湿性を有する材料で形成するのが好ましい。このようにすると、マイクロニードルシートが吸収した皮膚の水分が粘着層５を介して適度に放散され、皮膚が蒸れるのを防止することができる。粘着層５は両面が粘着面であってもよいし、片面のみが粘着面であってもよい。片面のみが粘着面である場合は、粘着面でない面にはエンボス加工を施すとよい。このようにすると、粘着面でない面の表面積が増えるため、粘着面でない面とシート状基体４、または粘着面でない面とオイルゲルシート３との密着力を上げることができる。
【００４１】
オイルゲルシート３とマイクロニードルシートとの剥離強度は、マイクロニードルシートと収納シート７との剥離強度より高いことが好ましい。このようにすると、マイクロニードルパッチ１を収納シート７から剥離する際に、マイクロニードルシートを収納シート７から確実に剥離することができる。
【００４２】
変形例に係るマイクロニードルパッチの梱包体の製造方法の一例を説明する（図１０参照）。まず、熱可塑性樹脂シートに微小凹部８を形成し、収納シート７を形成する（図１０（ａ）参照）。微小凹部８は、微小針と同形状を有するスタンパを熱可塑性樹脂シートに押し付けることで形成することができる。次に、微小凹部８に原料液２ａを充填する。このとき、型の平坦面からシート状基体の厚みに相当する高さまで原料液を供給する。（図１０（ｂ）参照）。充填方法は、インクジェット、ディスペンサ、分注器、スキージなど公知の機器を使用した方法を用いることができる。充填後は乾燥させ、収納シート７に両面テープを貼り合わせる。両面テープの一方のセパレータフィルム５ｂを剥離し微小針２を覆うようにして収納シート７の表面に貼り合わせる（図１０（ｃ）参照）。次に、セパレータフィルム５ｂ、粘着層５、およびシート状基体４をマイクロニードルシートの外形に打ち抜き、切れ目５ａを形成する（図１０（ｄ）参照）。次に、セパレータフィルム５ｂと、不要部分の粘着層５とシート状基体４とを剥離する（図１１（ｅ）参照）。次に、オイルゲルシート３を収納シート７と貼り合わせる（図１１（ｆ）参照）。オイルゲルシート３の表面には、シート状基体４の厚みによる段差ができる。最後に、オイルゲルシート３と収納シート７とをマイクロニードルパッチ１の外形に打ち抜き、マイクロニードルパッチの梱包体６を得る（図１１（ｇ）参照）。
【００４３】
なお、両面テープの代わりに片面テープを用いることもできる。片面テープの粘着面でない面にはエンボス加工を施し、図１０（ｃ）において、粘着面でない面をシート状基体４に貼り合わせる場合は、原料液２ａが完全に乾燥していない状態で貼り合わせてから乾燥させるとよい。このようにすると、エンボス加工により表面積が増えているため、粘着面でなくてもシート状基体４と粘着層５とを密着させることができる。また、粘着面をシート状基体４に貼り合わせる場合は、エンボス加工を施した面とオイルゲルシート３とを密着させることができる。
【符号の説明】
【００４４】
１，２０：マイクロニードルパッチ
２，２１：微小針
２ａ    ：原料液
３      ：オイルゲルシート
３ａ    ：周辺部
４，２２：シート状基体
５，２４：粘着層
５ａ    ：切れ目
５ｂ    ：セパレータフィルム
６      ：マイクロニードルパッチの梱包体
７      ：収納シート
８      ：微小凹部
９      ：収納部
１０    ：型
１０ａ  ：凹部
１１    ：プレート
２５    ：基材
２６    ：粘着シート
【図１】
2018220926.tif 000003
【図２】
2018220926.tif 000004
【図３】
2018220926.tif 000005
【図４】
2018220926.tif 000006
【図５】
2018220926.tif 000007
【図６】
2018220926.tif 000008
【図７】
2018220926.tif 000009
【図８】
2018220926.tif 000010
【図９】
2018220926.tif 000011
【図１０】
2018220926.tif 000012
【図１１】
2018220926.tif 000013
【図１２】
2018220926.tif 000014
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
支持体の上に油溶性成分を含むゲルが形成されたオイルゲルシートと、
前記オイルゲルシートの周辺部を除いた領域に形成された複数の微小針と
を備えた、マイクロニードルパッチ。
【請求項２】
支持体の上に油溶性成分を含むゲルが形成されたオイルゲルシートと、
前記オイルゲルシートの周辺部を除いた領域に形成されたシート状基体と、
前記シート状基体に形成された複数の微小針と
を備えた、マイクロニードルパッチ。
【請求項３】
前記複数の微小針は粘着層を介して前記オイルゲルシートに固着された、請求項１に記載のマイクロニードルパッチ。
【請求項４】
前記シート状基体は粘着層を介して前記オイルゲルシートに固着された、請求項２に記載のマイクロニードルパッチ。
【請求項５】
前記オイルゲルシートの前記周辺部を覆い、複数の微小凹部が形成され前記複数の微小針が収納された収納部を有する収納シートをさらに備えた、請求項３または４に記載のマイクロニードルパッチ。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
支持体の上に油溶性成分を含むゲル（水性ゲルを除く。）が形成されたオイルゲルシートと、
前記オイルゲルシートの周辺部を除いた領域に形成された複数の微小針とを備えた、マイクロニードルパッチ。
【請求項２】
支持体の上に油溶性成分を含むゲル（水性ゲルを除く。）が形成されたオイルゲルシートと、
前記オイルゲルシートの周辺部を除いた領域に形成されたシート状基体と、
前記シート状基体に形成された複数の微小針とを備えた、マイクロニードルパッチ。
【請求項３】
前記複数の微小針は粘着層を介して前記オイルゲルシートに固着された、請求項１に記載のマイクロニードルパッチ。
【請求項４】
前記シート状基体は粘着層を介して前記オイルゲルシートに固着された、請求項２に記載のマイクロニードルパッチ。
【請求項５】
前記オイルゲルシートの前記周辺部を覆い、複数の微小凹部が形成され前記複数の微小針が収納された収納部を有する収納シートをさらに備えた、請求項３または４に記載のマイクロニードルパッチ。
【国際調査報告】
2018220926.tif 000015
2018220926.tif 000016